(57)【特許請求の範囲】
【請求項１】
表示部へ表示する項目のパターンを切り替える切替手段と、
前記切替手段により第一のパターンからの切り替え指示がされた場合に、前記第一のパターンの項目と第二のパターンの項目とが異なる場合には、前記表示部に表示する項目を前記第一のパターンの項目から前記第二のパターンの項目に切り替え、
前記第一のパターンの項目と前記第二のパターンの項目とが同じ場合には、前記表示部に表示する項目を前記第一のパターンの項目から前記第二のパターンの項目に切り替えず、前記第一のパターンとは異なる項目を表示する第三のパターンの項目に切り替えるように制御する制御手段とを有することを特徴とする電子機器。
【請求項２】
前記切替手段によるパターンを切り替える操作がされなくても、前記電子機器の動作状態に応じて、各パターンにおいて表示される項目が異なることを特徴とする請求項１に記載の電子機器。
【請求項３】
前記第一のパターンを少なくとも含むパターンごとに、前記表示部に表示する候補の項目として複数の項目の中から項目を設定する設定手段をさらに有することを特徴とする請求項１または２に記載の電子機器。
【請求項４】
前記制御手段は、前記第一のパターンに切り替えられている場合に、前記第一のパターンの候補として前記設定手段に設定された候補の項目のうち、前記電子機器の動作状態に基づいて決定された項目を、前記第一のパターンの項目として前記表示部に表示するように制御することを特徴とする請求項３に記載の電子機器。
【請求項５】
前記制御手段は、前記設定手段により前記第一のパターンの候補の項目として設定された項目のうちいずれかを、前記電子機器の動作状態が第一の状態の場合に、前記第一のパターンの項目として表示せず、前記電子機器の動作状態が第二の状態の場合には、前記第一のパターンの項目として表示するように制御することを特徴とする請求項３または４に記載の電子機器。
【請求項６】
前記制御手段は、前記第一のパターンの候補の項目として設定された項目と、前記第二のパターンの候補の項目として設定された項目とが異なる項目であっても、前記電子機器の動作状態が前記第一の状態であり、前記第一のパターンで表示可能な項目と前記第二のパターンで表示可能な項目とが同じ場合には、前記切替手段により前記第一のパターンからの切り替え指示がされても前記表示部に表示する項目を前記第一のパターンの項目から前記第二のパターンの項目に切り替えないように制御することを特徴とする請求項５に記載の電子機器。
【請求項７】
前記第一の状態は、前記表示部に表示されている画像が拡大されている状態、撮像画像の記録中の状態、現在表示中の画面でタッチ操作に応じた処理を行わないように設定されている状態、マニュアル以外の撮影モードに設定されている状態、外部機器に接続されている状態、特定の被写体にピントが合うように自動合焦処理をするように設定されている状態の何れかの状態であることを特徴とする請求項５または６に記載の電子機器。
【請求項８】
前記制御手段は、前記表示部に表示されている撮像画像が拡大されている場合には、切り替えられたパターンにおいて表示する候補の項目として設定されていても、前記撮像画像に関するヒストグラム、または撮影に関する情報を示すアイコンのいずれかを表示部に表示しないように制御することを特徴とする請求項１乃至７の何れか１項に記載の電子機器。
【請求項９】
前記制御手段は、撮像画像の記録中には、切り替えられたパターンにおいて表示する候補の項目として設定されていても、撮影に関する情報、ヒストグラム、水準器の何れかは表示しないように制御することを特徴とする請求項１乃至８の何れか１項に記載の電子機器。
【請求項１０】
前記制御手段は、前記切替手段により前記第一のパターンからの切り替え指示がされ際に、前記第一のパターンの項目と前記第二のパターンの項目とが同じ場合には、前記第一のパターンから前記第二のパターンに切り替えないことを示すガイドを前記表示部に表示するように制御することを特徴とする請求項１乃至９の何れか１項に記載の電子機器。
【請求項１１】
前記制御手段は、前記電子機器の動作状態が前記第二の状態である場合には、前記切替手段により複数のパターンの切り替えが可能であり、前記電子機器の動作状態が前記第一の状態であり、前記複数のパターンのうち、前記第一のパターンの項目とは異なる項目を表示するパターンがない場合には、前記表示部に表示する項目が変わらないことを示すガイドを表示するように制御することを特徴とする請求項５乃至７の何れか１項に記載の電子機器。
【請求項１２】
前記切替手段は、所定の順番にパターンを切り替え可能なであることを特徴とする請求項１乃至１１の何れか１項に記載の電子機器。
【請求項１３】
前記制御手段は、前記表示部に表示される項目へのタッチ操作が行われたことに応じて該項目に対応する処理を行うように制御することを特徴とする請求項１乃至１２の何れか１項に記載の電子機器。
【請求項１４】
前記切替手段は、前記表示部とは異なる位置に設けられた単一操作部材への操作で前記第一のパターンと前記第二のパターンとを含む複数のパターンのいずれかに切替可能であることを特徴とする請求項１乃至１３の何れか１項に記載の電子機器。
【請求項１５】
表示部へ表示する項目のパターンを切り替える切替ステップと、
前記切替ステップにおいて第一のパターンからの切り替え指示がされた場合に、前記第一のパターンの項目と第二のパターンの項目とが異なる場合には、前記表示部に表示する項目を前記第一のパターンの項目から前記第二のパターンの項目に切り替え、
前記第一のパターンの項目と前記第二のパターンの項目とが同じ場合には、前記表示部に表示する項目を前記第一のパターンの項目から前記第二のパターンの項目に切り替えず、前記第一のパターンとは異なる項目を表示する第三のパターンの項目に切り替えるように制御する制御ステップとを有することを特徴とする電子機器の制御方法。
【請求項１６】
コンピュータを、請求項１乃至１４のいずれか１項に記載された電子機器の各手段として機能させるためのプログラム。
【請求項１７】
コンピュータを、請求項１乃至１４のいずれか１項に記載された電子機器の各手段として機能させるためのプログラムを格納したコンピュータが読み取り可能な記録媒体。
【発明の詳細な説明】
【技術分野】
【０００１】
本発明は、電子機器およびその制御方法に関し、表示部に表示する項目を切り替える技術に関する。
【背景技術】
【０００２】
複数の項目の中から表示部に表示する項目をユーザが設定できるものがある。特許文献１には、背面の表示パネルとファインダ内の表示パネルとにそれぞれ表示する項目を設定できることが開示されている。さらに、各表示パネルにおいて２つの表示設定のモードを設定可能であり、ＤＩＳＰボタンの押下により、表示設定のモードを切り替え可能であることが開示されている。特許文献２には、表示部に表示する項目を切り替え可能であり、さらにＡＦフレームを表示するように切り替え操作がされても、自動合焦モードでない場合にはＡＦフレームを表示しないことが開示されている。
【先行技術文献】
【特許文献】
【０００３】
【特許文献１】特開２００７−２４３９２３号公報
【特許文献２】特開２００３−２５９１６３号公報
【発明の概要】
【発明が解決しようとする課題】
【０００４】
特許文献１のように複数の表示設定を切り替え可能である場合に、切替え前の表示設定では特許文献２のＡＦフレームを表示せず、切替え後の表示設定ではＡＦフレームを表示するように表示設定を設定すると以下のようなことが生じる可能性がある。すなわち、ＡＦフレームは上述したように自動焦点モードでない場合には表示されないので、自動焦点モード以外のモードにされた場合には、表示設定の切り替えがされても、切替えの前後共にＡＦフレームが表示されないままで表示が変わらない。切替操作をしたにも関わらず表示項目が変わらないため、表示項目が変わるまでユーザは何度も切替操作をする必要がある。
【０００５】
本発明は、上記の課題に鑑み、表示項目の切り替えをする際のユーザの操作性を向上させる電子機器の提供を目的とする。
【課題を解決するための手段】
【０００６】
上記目的を達成するために、表示部へ表示する項目のパターンを切り替える切替手段と、前記切替手段により第一のパターンからの切り替え指示がされた場合に、前記第一のパターンの項目と第二のパターンの項目とが異なる場合には、前記表示部に表示する項目を前記第一のパターンの項目から前記第二のパターンの項目に切り替え、前記第一のパターンの項目と前記第二のパターンの項目とが同じ場合には、前記表示部に表示する項目を前記第一のパターンの項目から前記第二のパターンの項目に切り替えず、前記第一のパターンとは異なる項目を表示する第三のパターンの項目に切り替えるように制御する制御手段とを有することを特徴とする。
【発明の効果】
【０００７】
本発明によれば、表示項目の切り替えをする際のユーザの操作性を向上させることができる。
【図面の簡単な説明】
【０００８】
【図１】（ａ）、（ｂ）本実施形態の構成を適用可能な装置の一例としてのデジタルカメラの外観図
【図２】本実施形態の構成を適用可能な装置の一例としてのデジタルカメラの構成例を示すブロック図
【図３】撮影情報表示設定の処理を示すフローチャート
【図４】（ａ）〜（ｅ）撮影情報表示設定に関する表示画面例
【図５】（ａ）〜（ｄ）各パターンにおける編集画面例
【図６】撮影情報表示の処理を示すフローチャート
【図７】表示不可条件の一例を示す表
【図８】各表示モードの設定状態の一例を示す表
【図９】（ａ）〜（ｅ）表示可能項目の一例を示す表
【図１０】（ａ）〜（ｆ）ライブビュー画面表示例
【発明を実施するための形態】
【０００９】
以下、図面を参照して本発明の好適な実施形態を説明する。
【００１０】
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。シャッターボタン６１は撮影指示を行うための操作部である。モード切替スイッチ６０は各種モードを切り替えるための操作部である。端子カバー４０は外部機器との接続ケーブルとデジタルカメラ１００とを接続するＨＤＭＩ（登録商標）等の接続ケーブル等のコネクタ（不図示）を保護するカバーである。
【００１１】
メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。
【００１２】
Ｉｎｆｏボタン６８は、表示部２８に表示する情報表示を最大４つのパターン（組み合わせ、セット）を順々に表示するように切り換えるボタン（単一操作部材）であり、例えばパターン１の表示中にＩｎｆｏボタン６８を押下するとパターン２に切り替わる。それぞれのパターンにおいて表示する情報表示の組み合わせを設定することができ、ユーザは、撮影状況に応じて好適な情報表示へと切り替えることができる。なお、４つのパターンのうち、どのパターンを表示するか非表示にするかを設定することができるので、例えば２パターンや３パターンを切り替えるようにすることもできる。
【００１３】
十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００１４】
ＬＶボタン７６は操作部７０に含まれ、メニューボタン６７においてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１５】
ファインダ１６は後述するレンズユニット１５０を通して得た被写体の光学像の焦点や構図の確認を行うための覗き込み型のファインダである。蓋２０２は記録媒体２００を格納ひたスロットの蓋である。グリップ部９０は、ユーザがデジタルカメラ１００を構えた際に右手で握りやすい形状とした保持部である。
【００１６】
図２は、本実施形態によるデジタルカメラ１００の構成例を示すブロック図である。
【００１７】
図２において、レンズユニット１５０は、交換可能な撮影レンズを搭載するレンズユニットである。
【００１８】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００１９】
ＡＥセンサー１７は、レンズユニット１５０、クイックリターンミラー１２を通しピント板１３上に結像した被写体の輝度を測光する。
【００２０】
焦点検出部１１（ＡＦセンサー）は、クイックリターンミラー１２を介して入射する像を撮像しシステム制御部５０にデフォーカス量情報を出力する位相差検出方式のＡＦセンサーである。システム制御部５０は前記デフォーカス量情報に基づいてレンズユニット１５０を制御し、位相差ＡＦを行う。
【００２１】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２２】
撮影者は、ペンタプリズム１４とファインダ１６を介して、ピント板１３フォーカシングスクリーン上に結像した像を観察することで、レンズユニット１５０を通して得た被写体の光学像の焦点状態や構図の確認が可能となる。
【００２３】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。シャッター１０１は絞り機能を備えるシャッターである。
【００２４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２６】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２８】
システム制御部５０は、デジタルカメラ１００全体を制御する。前述した不揮発性メモリ５６に記録されたプログラムを実行することで、後述する本実施形態の各処理を実現する。システムメモリ５２は、システム制御部５０の動作用の定数、変数、不揮発性メモリ５６から読み出したプログラム等を展開し、ＲＡＭが用いられる。また、システム制御部はメモリ３２、Ｄ／Ａ変換器１９、表示部２８等を制御することにより表示制御も行う。
システムタイマー５３は各種制御に用いる時間や、内蔵された時計の時間を計測する計時部である。
【００２９】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、モード切替スイッチ６０でメニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。
【００３０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ処理（自動合焦処理）、ＡＥ処理（自動露出処理）、ＡＷＢ処理（オートホワイトバランス処理）、ＥＦ処理（フラッシュプリ発光処理）等の動作を開始する。
【００３１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３３】
操作部７０は、ユーザからの操作を受け付ける入力部としての各種操作部材である。操作部７０には、タッチ操作を受け付け可能なタッチパネル７０ａと少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３６】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３７】
なお操作部７０の一つとして、表示部２８に対する接触を検知可能（タッチ検出可能）なタッチパネル７０ａ（表示部２８と重畳して設けられる）を有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
【００３８】
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３９】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４０】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４１】
図３は、撮影情報表示設定の処理を示すフローチャートを示している。図３を用いて、撮影情報表示設定の処理について説明する。この処理は、不揮発性メモリ５６に記録されたプログラムをシステムメモリ５２に展開してシステム制御部５０が実行することで実現する。なお、この処理は、デジタルカメラ１００に電源が入り、メニュー画面が開かれると開始する。また、以下の処理ではタッチ操作が有効に設定されているものとして説明する。
【００４２】
Ｓ３０１では、システム制御部５０は、撮影情報表示設定の表示が選択されたか否かを判定する。撮影情報表示設定は、図４（ａ）に示すように、メニュー画面のセットアップ（Ｓｅｔ  ｕｐ）タブに含まれている。図４は、撮影情報表示設定に関する表示画面を示しており、図４（ａ）はメニュー画面を、図４（ｂ）〜（ｅ）は、切り替え設定画面を示している。図４（ｂ）の表示例４０５は図５（ａ）、図４（ｃ）の表示例４０６は図５（ｂ）、図４（ｄ）の表示例４０７は図５（ｃ）、図４（ｅ）の表示例４０８は図５（ｄ）の編集画面と対応している。図４（ａ）の撮影情報表示設定の項目が選択されたと判定した場合は、Ｓ３０２へ進み、そうでない場合は、Ｓ３０８へ進む。
【００４３】
Ｓ３０２では、システム制御部５０は、切替設定画面を表示し、アイコン４０２ａ〜４０２ｄのいずれかを選択するカーソルの移動がされたか否かを判定する。カーソル移動は、十字キー７４の上下ボタンへの操作や、各パターンを示すアイコン４０２ａ〜４０２ｄのいずれかへのタッチ操作によって行うことができる。パターンには、図４（ｂ）〜（ｅ）に示すアイコン４０２ａ〜４０２ｄの４つのパターンがあり、後述するＬＶ画面においてＩｎｆｏボタン６８の押下でパターン１〜パターン４（もしくは画面１〜画面４）を順番に表示部２８に表示するように切替可能である。アイコン４０２ａ〜４０２ｄのいずれかにカーソルが移動すると、図４（ｂ）〜（ｅ）に示すように割り当てられたカーソルに対応する切替設定画面（表示例４０５〜表示例４０８）が表示される。カーソルを移動させて、表示例を見ながらユーザはどのパターン（表示モード）にどのような情報表示設定がされているか（表示される表示項目の状態）をより分かりやすく認識することができる。また、表示例を見ながら後述する表示、非表示を切り替えるパターンの選択や、編集をするパターンの選択をすることができる。カーソル移動がされたと判定した場合は、Ｓ３０３へ進み、そうでない場合は、Ｓ３０８へ進む。また、カーソル移動があった場合には、カーソルの表示される位置（重畳して表示されるアイコンの位置）を変え、さらに表示例を切り替える。例えば、表示例の切り替えは、図４（ｂ）〜（ｅ）の表示例４０５〜４０８の切り替えを指し、順にカーソルの当てられたパターンに表示例を切り替える。
【００４４】
Ｓ３０３では、システム制御部５０は、Ｓ３０２にカーソルが当てられたパターン（選択パターン）のパターン表示ＯＮ／ＯＦＦの切り替えがされたか否かを判定する。パターン１を非表示（ＯＦＦ）にする場合には、図４（ｂ）のパターン１を示すアイコン４０２ａのようにチェックマークを外せばよく、表示（ＯＮ）にするにはチェックマークを付ければよい。図４（ｂ）のようにパターン１が非表示になると、ＬＶ画面においてＩｎｆｏボタン６８によって切り替わるパターンの数は３つになる。パターン表示の切り替え、及びチェックマークの表示・非表示の切り替えは、カーソル４０９が当てられた状態でのアイコン４０２ａへのタッチ、もしくはＳＥＴボタン７５の押下によって行うことができる。パターン表示ＯＮ／ＯＦＦの切り替えがされたと判定した場合は、Ｓ３０４へ進み、そうでない場合は、Ｓ３０７へ進む。
【００４５】
Ｓ３０４では、システム制御部５０は、選択パターン表示がＯＮからＯＦＦに切り替えられたかを判定する。ＯＮからＯＦＦに切り替えられたと判定した場合は、Ｓ３０５へ進み、そうでない場合は、Ｓ３０６へ進む。
【００４６】
Ｓ３０５では、システム制御部５０は、選択パターンはＩｎｆｏボタン６８が押下されても表示されない非表示パターンであることをシステムメモリ５２に記憶すると共に、カーソルのあるアイコンのチェックマークを非表示とする。ユーザが設定変更していない初期設定の状態では、全てのパターンが表示されるものとしてシステムメモリ５２に記憶されている。
【００４７】
Ｓ３０６では、システム制御部５０は、選択パターンはＩｎｆｏボタン６８が押下されたら表示される表示パターンであることをシステムメモリ５２に記憶すると共に、カーソルのあるアイコンにチェックマークを表示する。
【００４８】
Ｓ３０７では、システム制御部５０は、画面編集が選択されたか否かを判定する。画面編集は、図４（ｂ）のアイコン４０１（ＩＮＦＯ．画面編集）へのタッチ、もしくはＩｎｆｏボタン６８の押下である。画面編集が選択されたと判定した場合は、Ｓ３０９へ進み、そうでない場合は、Ｓ３０２へ戻る。
【００４９】
Ｓ３０８では、システム制御部５０は、撮影情報表示設定を終了するか否かを判定する。撮影情報表示設定を終了すると判定した場合は、撮影情報表示設定を終了し、そうでない場合は、Ｓ３０１へ戻る。撮影情報表示設定は、図４（ｂ）〜（ｅ）の設定完了であるＯＫを示すアイコン４０３または、設定を取り消しするキャンセルを示すアイコン４０４へのタッチやアイコン４０３、４０４へのカーソル移動後のＳＥＴボタン７５の押下により終了することができる。ＯＫを選択した場合には、設定した内容（システムメモリ５２に記憶されている設定内容）が不揮発性メモリ５６に記憶されるが、キャンセルを選択した場合には設定内容は変更されない。
【００５０】
Ｓ３０９では、システム制御部５０は、選択パターンの設定状態を不揮発性メモリ５６から読み出して、システムメモリ５２に展開する。
【００５１】
Ｓ３１０では、システム制御部５０は、編集画面を表示部２８に表示する。図５（ａ）〜（ｄ）には、各パターンにおける編集画面の表示例を示す。図５（ａ）はパターン１、（ｂ）はパターン２、（ｃ）はパターン３、（ｄ）はパターン４の編集画面である。図５（ａ）〜（ｄ）において、アイコン５０１〜アイコン５０５は各パターンにおいて表示する情報の種別を選択肢として表示したものでる。アイコン５０１は基本撮影情報、アイコン５０２は詳細撮影情報、アイコン５０３はタッチボタン、アイコン５０４はヒストグラム、アイコン５０５は水準器を示している。また、アイコン５０１〜５０５（５０７，５０８含む）のいずれかにカーソルを移動させることができ、ユーザはアイコン５０１〜５０５のうちカーソルのあるアイコンの設定を変更することができる。
【００５２】
Ｓ３１１では、システム制御部５０は、基本撮影情報の表示のＯＮとＯＦＦの切り替えがされたか否かを判定する。アイコン５０１〜アイコン５０５の示す各情報表示のＯＮとＯＦＦは、各アイコンへのタッチ或いは所望のアイコンにカーソルをあてた状態でのＳＥＴボタン７５の押下で切り替えることができる。図５（ａ）では、アイコン５０１の示す基本撮影情報のみにチェックマークがついており、パターン１の編集例である表示例５０９のように基本撮影情報のみが表示される。基本撮影情報は、後述するタッチボタンがＯＮにならない限りはタッチ可能なアイコン（タッチ可能な表示項目）ではなく、タッチ操作を受け付けない情報表示（ガイド）として表示される。タッチ操作を受け付けない情報表示とは、タッチ操作をしても対応する処理が行われない表示項目のことである。基本撮影情報の表示のＯＮとＯＦＦの切り替えがされたと判定した場合は、Ｓ３１２へ進み、そうでない場合は、Ｓ３１３へ進む。
【００５３】
Ｓ３１２では、システム制御部５０は、基本撮影情報の表示に関する（ＯＮまたはＯＦＦの）設定情報をシステムメモリ５２に記憶する。
【００５４】
Ｓ３１３では、システム制御部５０は、詳細撮影情報の表示のＯＮとＯＦＦの切り替えがされたか否かを判定する。図５（ｄ）では、アイコン５０３の示す詳細撮影情報にチェックマークがついており、パターン４の編集例である表示例５１２のように詳細撮影情報が表示される。詳細撮影情報の表示のＯＮとＯＦＦの切り替えがされたと判定した場合は、Ｓ３１４へ進み、そうでない場合は、Ｓ３１５へ進む。
【００５５】
Ｓ３１４では、システム制御部５０は、詳細撮影情報の表示に関する（ＯＮまたはＯＦＦの）設定情報をシステムメモリ５２に記憶する。
【００５６】
Ｓ３１５では、システム制御部５０は、タッチボタンの表示のＯＮとＯＦＦの切り替えがされたか否かを判定する。図５（ｂ）では、アイコン５０３の示すタッチボタンにのみチェックマークがついており、パターン２の編集例である表示例５１０のようにタッチボタンのみが表示される。タッチボタンは後述するＬＶ画面においてはタッチ操作を受け付け可能なタッチボタンとして表示される。なお、図５（ｂ）の編集画面の表示例５１０においては、タッチ可能であるタッチボタンであることを示す表示を囲うような表示形態で表示されるが、設定中のパターンにおける表示例を示すものであるので、実際にはタッチ操作は受け付け可能ではない。また、図５（ｃ）では、アイコン５０１の示す基本撮影情報とアイコン５０３の示すタッチボタンにチェックマークがついており、表示例５１１のように表示がされる。つまり、図５（ｂ）で示したタッチボタンの他に、基本撮影情報のうち一部の表示（シャッタースピード、絞り、ＩＳＯ感度）はタッチボタンとして表示され、残りの表示（モード、枚数、電池残量）はタッチ操作を受け付けない情報表示（ガイド）として表示される。タッチボタンの表示のＯＮとＯＦＦの切り替えがされたと判定した場合は、Ｓ３１６へ進み、そうでない場合は、Ｓ３１７へ進む。
【００５７】
Ｓ３１６では、システム制御部５０は、タッチボタンの表示に関する（ＯＮまたはＯＦＦの）設定情報をシステムメモリ５２に記憶する。
【００５８】
Ｓ３１７では、システム制御部５０は、ヒストグラムの表示のＯＮとＯＦＦの切り替えがされたか否かを判定する。図５（ｄ）では、アイコン５０４の示すヒストグラムにチェックマークがついており、パターン４の編集例である表示例５１２のようにヒストグラムが表示される。ヒストグラムの表示のＯＮとＯＦＦの切り替えがされたと判定した場合は、Ｓ３１８へ進み、そうでない場合は、Ｓ３１９へ進む。
【００５９】
Ｓ３１８では、システム制御部５０は、ヒストグラムの表示に関する（ＯＮまたはＯＦＦの）設定情報をシステムメモリ５２に記憶する。
【００６０】
Ｓ３１９では、システム制御部５０は、水準器の表示のＯＮとＯＦＦの切り替えがされたか否かを判定する。図５（ｄ）では、アイコン５０５の示す水準器にチェックマークがついており、パターン４の編集例である表示例５１２のように水準器が表示される。水準器の表示のＯＮとＯＦＦの切り替えがされたと判定した場合は、Ｓ３２０へ進み、そうでない場合は、Ｓ３２１へ進む。
【００６１】
Ｓ３２０では、システム制御部５０は、水準器の表示に関する（ＯＮまたはＯＦＦの）設定情報をシステムメモリ５２に記憶する。
【００６２】
Ｓ３２１では、システム制御部５０は、編集終了であるか否かを判定する。編集終了である場合には、Ｓ３２２へ進み、そうでない場合は、Ｓ３１１へ戻る。編集の終了は、図５（ａ）〜（ｄ）の設定完了であるＯＫを示すアイコン５０７または、設定を取り消しするキャンセルを示すアイコン５０８へのタッチ、またはカーソル移動後のＳＥＴボタン７５の押下により行うことができる。編集終了であると判定した場合は、Ｓ３２２へ進み、そうでない場合は、Ｓ３１１へ戻り、編集を継続することができる。
【００６３】
Ｓ３２２では、システム制御部５０は、Ｓ３２１において行われた操作がアイコン５０７（ＯＫ）の選択か、アイコン５０８（キャンセル）の選択であったかを判定する。設定完了を示すアイコン５０７の選択であったと判定した場合は、Ｓ３２３へ進み、そうでない場合は、Ｓ３０１へ戻る。キャンセルが選択された場合には、Ｓ３１１〜Ｓ３２０において編集された設定内容は不揮発性メモリ５６に記憶されない。
【００６４】
Ｓ３２３では、システム制御部５０は、選択されたパターンとＳ３１１〜Ｓ３２０で設定された設定内容とを対応づけて不揮発性メモリ５６に記憶する。ＬＶ画面においてＩｎｆｏボタン６８が押下された場合には、Ｓ３２３で記憶された設定情報を読み出すことにより、順番に各パターンの情報表示をすることができる。各パターンには、表示される項目数や動作状態などの情報表示の内容を変えて設定することができるので、ユーザは参照したい情報の種類に応じて、様々な組み合わせで情報表示の設定をすることができる。
【００６５】
次に、図６を用いて情報表示の処理について説明する。この処理は、不揮発性メモリ５６に記録されたプログラムをシステムメモリ５２に展開してシステム制御部５０が実行することで実現する。なお、この処理は、デジタルカメラ１００に電源が入ると開始する。
【００６６】
Ｓ６０１では、システム制御部５０は、撮影モードに切り替えられたか否かを判定する。撮影モードには、モード切替スイッチ６０によって切替可能であり、再生モードの場合に再生ボタン７９を押下することによっても切り替えることができる。撮影モードに切り替えられたと判定した場合には、Ｓ６０２へ進み、そうでない場合は、Ｓ６０３へ進む。
【００６７】
Ｓ６０２では、システム制御部５０は、図１０（ａ）に示すようにライブビュー画面１００１（撮像画像）を表示部２８に表示する。図１０（ａ）〜（ｆ）は、Ｉｎｆｏボタン６８の押下によって切替可能な表示部２８における情報表示例を示す図であり、図１０（ａ）はタッチ可能なアイコンがある場合を示している。また、タッチ可能なアイコンはタッチパネルの辺に沿って表示される。
【００６８】
Ｓ６０３では、システム制御部５０は、再生モードにおける画像の再生処理やメニュー画面におけるメニュー表示や設定処理等を行う。
【００６９】
Ｓ６０４では、システム制御部５０は、現在設定中のパターンと、前述の撮影情報表示設定で設定された設定中のパターンの設定状態を不揮発性メモリ５６からシステムメモリ５２に読み込む。また、不揮発性メモリ５６から各パターンの設定状態をシステムメモリ５２に読み込んでおいてもよい。図８は各パターンに設定された設定状態の例を示している。なお、図８の各パターンの設定状態と、図４と図５で説明した各パターンの設定状態は異なるが、それぞれ説明のために示した例であり、必ずしもこのどちらかの設定状態に設定しなくてよい。
【００７０】
Ｓ６０５では、システム制御部５０は、Ｓ６０４において読み込んだパターンの設定状態の項目を表示する表示処理を行う。すなわち、現在のパターンに設定されている項目を表示部２８に表示する。
【００７１】
Ｓ６０６では、システム制御部５０は、撮影開始指示がされたか否かを判定する。撮影開始指示は、シャッターボタン６１の押下により行うことができる。撮影開始指示がされたと判定された場合には、Ｓ６０７へ進み、そうでない場合は、Ｓ６０８へ進む。なお、動画の撮影中の場合にはＳ６０６の処理は行わない。静止画モードの場合に、タッチシャッターが有効であれば、タッチパネル７０ａへのタッチダウン後にタッチを離す操作によっても静止画の撮影指示をすることができる。
【００７２】
Ｓ６０７では、システム制御部５０は、動画または静止画の記録を開始する。動画モードの場合には、撮影開始指示に応じて動画の記録を開始し、静止画モードの場合には、撮影開始指示に応じて静止画の撮影（記録）をする。
【００７３】
Ｓ６０８では、システム制御部５０は、動画の撮影終了指示がされたか否かを判定する。動画の終了指示は、シャッターボタン６１の押下によって行うことができる。なお、この処理は静止画モードの場合と、動画の撮影が開始されていない場合には行わない。動画の撮影終了指示がされたと判定された場合には、Ｓ６０９へ進み、そうでない場合は、Ｓ６１０へ進む。
【００７４】
Ｓ６０９では、システム制御部５０は、記録終了処理を行う。記録終了処理とは、動画の属性情報、フレーム間情報、サムネイルの作成、圧縮処理等を行い作成した動画を再生できるような処理を行う。これらの情報は記録媒体２００に動画と共に保存される。
【００７５】
後述するＳ６１０〜Ｓ６２０（及びＳ６０６〜Ｓ６０９）の処理は、後述するＳ６２２で参照されるデジタルカメラ１００の状態を変更するための処理である。つまり、現在のデジタルカメラ１００の設定や、接続状態、撮影状態等の情報を更新する処理である。デジタルカメラ１００の状態によって、表示項目の表示不可条件が変わるため随時更新し、表示に反映していく。
【００７６】
Ｓ６１０では、システム制御部５０は、タッチ操作の有効／無効との切り替えがされたか否かを判定する。タッチ操作の有効／無効の切り替えは、メニュー画面の中のタッチ操作に関するタブ（設定項目一覧）の中からタッチ操作有効設定を選択すると行うことができる。タッチ操作の有効／無効との切り替えとタッチボタンの表示の有無とは異なる設定であり、タッチボタンはタッチ操作が有効に設定されている時に表示可能なボタンである。タッチ操作の有効／無効の切り替えがされたと判定した場合は、Ｓ６１１へ進み、そうでない場合は、Ｓ６１２へ進む。
【００７７】
Ｓ６１１では、システム制御部５０は、タッチ操作の設定を更新する。タッチ操作が有効に切り替えられた場合には、有効に設定し直し、無効に切り替えられた場合には、無効に設定し直して、システムメモリ５２に記録する。
【００７８】
Ｓ６１２では、システム制御部５０は、タッチロック設定のＯＮとＯＦＦに変更があったか否かを判定する。タッチロック設定は、メニュー画面の設定に関するタブ（設定項目一覧）の中からマルチ電子ロックの項目を選択し、ロックスイッチ設定の中からタッチロックをＯＮに設定し、さらに不図示の操作部材であるロックスイッチの切り替えによりＯＮに設定できる。タッチロックの設定がＯＮである場合であり、さらに撮影待機画面（撮影中でない場合）の表示中にはタッチ操作を受け付けない。タッチロック設定がＯＮの場合には、撮影待機中にタッチ操作が無効になるが、Ｓ６１０で説明したメニュー画面で切り替えるタッチ操作の無効の設定とは異なり、ロックスイッチの切り替えで容易にタッチ操作を受け付けるか否かを切り替えることができる。また、タッチ操作が無効と設定された場合には撮影待機画面以外の画面でもタッチ操作を受け付けないが、タッチ操作が有効でタッチロック設定がＯＮの場合は、撮影待機画面以外の画面ではタッチ操作を受け付ける。ロックスイッチ設定では、タッチロックの他に、電子ダイヤルやモード切替スイッチ（６０）を設定ＯＮにすることもできる。電子ダイヤルやモード切替スイッチの設定をＯＮにした（さらに、ロックスイッチＯＮにし）場合にはそれぞれ電子ダイヤルやモード切替スイッチへの操作が無効になる。タッチロック設定をＯＦＦにする場合には、ロックスイッチをＯＦＦにするか、メニュー画面におけるタッチロック設定をＯＮからＯＦＦに設定し直せばよい。タッチロック設定が切り替えられた場合には、Ｓ６１３へ進み、そうでない場合は、Ｓ６１４へ進む。
【００７９】
Ｓ６１３では、システム制御部５０は、タッチロック設定を更新する。タッチロック設定がＯＮに切り替えられた場合には、ＯＮに設定し直し、ＯＦＦに切り替えられた場合には、ＯＦＦに設定し直して、システムメモリ５２に記録する。
【００８０】
Ｓ６１４では、システム制御部５０は、拡大表示がされたか否かを判定する。拡大表示指示は、タッチパネル上でのピンチアウト（２点のタッチ位置の距離を広げる操作）または拡大ボタン７７への操作によって行うことができる。拡大した状態から画像を縮小し、通常表示（拡大指示をしていない状態）に戻すには、ピンチイン（２点のタッチ位置の距離を狭める操作）、または縮小ボタン７８への操作によって行うことができる。縮小表示指示がされた後でも通常表示の状態よりも拡大されていれば拡大表示されているものとする。拡大表示がされたと判定した場合は、Ｓ６１５へ進み、そうでない場合は、Ｓ６１７へ進む。
【００８１】
Ｓ６１５では、システム制御部５０は、拡大表示中であることをシステムメモリ５２に記録する。
【００８２】
Ｓ６１６では、システム制御部５０は、ライブビュー画像を拡大して表示する。（不図示）
【００８３】
Ｓ６１７では、システム制御部５０は、ＨＤＭＩ（登録商標）の接続／非接続に変化があったか否かを判定する。ＨＤＭＩ（登録商標）は接続端子の物理的接続だけではなく、システム制御部５０が接続端子としてＨＤＭＩ（登録商標）を認識すると接続状態、認識しない限り非接続状態となる。ＨＤＭＩ（登録商標）の接続がされていない状態から接続された場合、もしくはＨＤＭＩ（登録商標）の接続がされていた状態から非接続状態になった場合には、Ｓ６１８へ進み、そうでない場合は、Ｓ６１９へ進む。
【００８４】
Ｓ６１８では、システム制御部５０は、ＨＤＭＩ（登録商標）接続の接続状態を更新する。ＨＤＭＩ（登録商標）接続が接続状態になった場合には、接続状態に、非接続状態になった場合には、非接続状態に設定し直し、システムメモリ５２に記録する。
【００８５】
Ｓ６１９では、システム制御部５０は、顔・追尾ＡＦの設定が変更されたか否かを判定する。顔ＡＦは、設定された顔や検出した顔にピントが合うようにＡＦ処理をする設定であり、追尾ＡＦは、設定された被写体に常にピントが合うようにＡＦ処理をするようにする設定である。顔・追尾ＡＦの設定がＯＮからＯＦＦ、またはＯＦＦからＯＮに設定された場合には、Ｓ６２０へ進み、そうでない場合は、Ｓ６２１へ進む。
【００８６】
Ｓ６２０では、顔・追尾ＡＦの設定状態を更新する。顔・追尾ＡＦの設定状態がＯＮになった場合には、ＯＮに、ＯＦＦになった場合には、ＯＦＦに設定し直し、システムメモリ５２に記録する。
【００８７】
Ｓ６２１では、システム制御部５０は、現在の設定状態による表示不可条件を取得する。表示不可条件とは、図３と図４で説明した撮影情報表示設定に関わらず表示されない条件を示すものであり、すなわち、表示不可条件を満たすアイコンまたはタッチボタンは表示されるように設定されていても表示されない。言い換えれば、設定された表示状態のうち、表示不可条件を満たさない（表示可能条件を満たす）アイコンまたはタッチボタンが表示される。図７は表示不可条件を示す表であり、それぞれの表示項目が表示されないデジタルカメラ１００の状態を示している。
【００８８】
撮影基本情報は、表示不可条件はないが、撮影詳細情報はライブビュー拡大表示中と録画中は表示されない。これは、ライブビュー拡大表示中（拡大表示中）は詳細なピント合わせのために拡大をしているので、撮影詳細情報を表示してしまうと、撮像画像（ライブビュー画像）に重なって表示される情報が増え、撮像画像の視認性が低下するためである。ただし、撮影基本情報のような基本的な撮影の情報は表示する。よって、ライブビュー拡大表示中は、撮影詳細情報を表示しないように設定することで撮像画像の視認性が低下することを防ぐ。
【００８９】
また、動画の録画中（記録中）は、ファイル書き込み処理にシステム制御部５０のリソースを優先的に割り当てているため、描写の処理負荷の高い撮影詳細情報表示はしないようにする。
【００９０】
次に、タッチボタンの表示不可条件は、タッチ操作無効に設定された場合と、撮影待機画面の表示中であり、かつタッチロックが設定された場合である。これらの設定のように、そもそも（現在表示中の画面において）タッチ操作に応じた処理を行わないように設定された場合には、タッチボタンが設定されていても表示しないようにする。
【００９１】
ヒストグラムの表示不可条件は、ライブビュー拡大表示中と、録画中、Ｍ（マニュアル）以外の動画モードである。ライブビュー拡大表示中は拡大部分のヒストグラムになるため明暗が極端に出やすく、ユーザに誤解を与える可能性があるため、表示をしないようにする。また録画中は撮影詳細情報と同じくファイルの書き込みにシステム制御部５０のリソースを優先的に割り当てるために、描画に処理負荷の高いヒストグラムの表示はしないようにする。マニュアルモードの場合にはヒストグラムが必要となるが、マニュアル以外の動画モードの場合には、描画に処理負荷のかかるヒストグラムを表示しない。
【００９２】
最後に水準器の表示不可条件は、ＨＤＭＩ（登録商標）接続時と、顔・追尾ＡＦ時（ＡＦの設定が顔ＡＦ、追尾ＡＦに設定された場合）、録画中である。水準器は、検出したデジタルカメラ１００の向きに応じて、描画する線（傾きを示す線）の向きを変えなければならず、描画の負荷が高い。そのため、画像の描画に処理負荷のかかるＨＤＭＩ（登録商標）接続時、ＡＦ処理に処理負荷のかかる顔・追尾ＡＦ時、録画中には表示しない。
【００９３】
Ｓ６２２では、システム制御部５０は、現在のパターンの設定状態と表示不可条件とを照らし合わせ、現在のパターンの設定状態のうち表示可能項目を取得し、システムメモリ５２に記録する。図９（ａ）〜（ｆ）には、システムメモリ５２中（パターン比較領域）に記録される、現在のパターンの表示可能項目と次のパターンの表示可能項目の一例が示されている。図９（ａ）〜（ｅ）は各パターンの表示項目が図８のように設定された場合の例でさる。例えば、図８に例示したパターン１の表示中に、現在のデジタルカメラの状態が、タッチ操作有効、タッチロック設定ＯＦＦ、拡大表示中、ＨＤＭＩ（登録商標）非接続中、顔・追尾ＡＦの設定がＯＦＦであれば、図９（ａ）の現在のパターンの表示可能項目に示すようになる。すなわち、パターン１で表示するものとしてＯＮに設定されているのは図８に示すように撮影基本情報とタッチボタンだが、それぞれの項目の表示不可条件に当てはまる状態ではないので、共に表示可能項目となる。具体的には図７の撮影基本情報には表示不可条件がなく、タッチボタンの表示不可条件はタッチ操作が無効、タッチロック設定中であるが現在の状態はこれらに含まれないので、表示項目は共に表示される。しかしながら表示不可条件に当てはまる項目が、表示がＯＮに設定されている場合もある。図９（ｃ）はパターン３に設定され、拡大表示中の場合の表示可能項目を示す表である。パターン３では、図８に示すように、全ての項目が表示ＯＮに設定されている。しかし、このうち撮影詳細情報、ヒストグラムは、拡大中には表示できない項目であるので、図９（ｃ）の左部に示すように撮影基本情報と、タッチボタン、水準器とが表示可能項目となり、図１０（ｂ）に示すように表示される。ここで拡大が解除され通常表示にされると、表示不可条件が変わり、表示不可能な項目に該当する項目がなくなるので、図９（ｃ）の中央部に表示するように全ての項目は表示可能項目となり、図１０（ｃ）のように表示される。さらにここで、録画が開始されると、図７に記載されているように、撮影詳細情報、ヒストグラム、水準器は、表示不可条件に録画中があり、表示不可項目となる。よって、図９（ｃ）の右部に表示するように表示不可条件に録画中が含まれない基本撮影情報とタッチボタンが表示可能項目となり、図１０（ａ）のように表示される。このように、表示不可条件が変わることによって、同じパターンであっても表示可能項目が変わり、表示部２８に表示される表示項目も変わる。
【００９４】
Ｓ６２３では、システム制御部５０は、Ｓ６２２で更新した現在のパターンにおける表示可能項目、または後述するＳ６３０で切り替えられたパターンにおける表示可能項目を表示する表示処理を行う。このとき、表示される項目は、ユーザがパターンに設定された項目のうち、表示不可条件を満たさない項目だけであり、表示不可条件を満たす項目は表示されない。
【００９５】
Ｓ６２４では、システム制御部５０は、情報表示の処理を終了する操作が行われたか否かを判定する。情報表示の処理は、再生モードへの切り替えや、メニュー画面の表示、電源のＯＦＦ等により行われる。情報表示の処理を終了する操作が行われたと判定した場合は、情報表示の処理を終了し、そうでない場合には、Ｓ６２５へ進む。
【００９６】
Ｓ６２５では、システム制御部５０は、ＡＦ位置の設定や、タッチパネル７０ａに表示されるガイドまたはタッチボタンへの操作がタッチ操作もしくは操作部７０等への操作によりされたか否かを判定する。なお、ＡＦ位置の設定はタッチボタン以外の領域へのタッチ操作によって受け付ける。タッチボタンへの操作と、ＡＦ位置の設定はタッチ操作が有効の場合に受け付ける。ＡＦ位置の設定、ガイドまたはタッチボタンへの操作がされたと判定した場合には、Ｓ６２６へ進み、そうでない場合は、Ｓ６２７へ進む。
【００９７】
Ｓ６２６では、システム制御部５０は、操作受け付け処理を行う。Ｓ６２５において、図１０（ａ）のタッチボタン１００２ａ〜１００２ｄは、撮影基本情報のアイコンがタッチボタンとして表示された表示例である。タッチボタン１００２ａはシャッタースピード、１００２ｂは絞り、１００２ｃは露出補正、１００２ｄはＩＳＯ感度を示すタッチボタンである。さらにタッチシャッターＯＮ／ＯＦＦ切替ボタンを示すタッチボタン１００３ａ、拡大ボタンを示すタッチボタン１００３ｂ、Ｑボタンを示すタッチボタン１００３ｃは、タッチボタンＯＮである場合に表示されるタッチボタンの表示例である。図１０（ａ）を用いて、操作受け付け処理について説明する。シャッタースピードを示すタッチボタン１００２ｂがタッチされると、絞り値の設定画面に遷移する。ＩＳＯ感度を示すタッチボタン１００２ｂがタッチされると、ＩＳＯ値の設定画面に遷移する。さらに、シャッタースピード、絞り値、露出補正、ＩＳＯ感度のそれぞれの設定画面において、タッチ操作及び／または操作部７０に含まれる操作部材への操作に応じて各設定値を設定／変更できる。このようにタッチボタンが表示されると、タッチ操作で容易に項目の設定変更を行うことができる。タッチシャッターＯＮ／ＯＦＦ切替ボタン（タッチボタン１００３ａ）がタッチされると、タッチシャッター設定のＯＮ／ＯＦＦを切り替えることができる。タッチシャッター設定がＯＮの場合にはライブビュー画面上（タッチボタン反応領域を除く）でのタッチによって、タッチ位置に応じたタッチＡＦの指示と撮影指示とをすることができる。なお、タッチシャッター設定がＯＦＦであっても、タッチＡＦは行われる。拡大ボタン（タッチボタン１００３ｂ）がタッチされると、ライブビューの拡大表示の倍率を変更できる。Ｑボタン（タッチボタン１００３ｃ）がタッチされると、撮影に関する項目の設定変更を受け付けるクイック設定画面へと遷移する。なお、これらのタッチボタンは十字キーを用いたカーソルの移動とＳＥＴボタンでの決定操作によっても選択することができる。また、ＡＦ位置の設定がされた場合には、タッチ操作のされた位置に基づいてＡＦ処理をする。また、Ｓ６２６におけるタッチ操作に応じた操作受付処理は、Ｓ６１０、Ｓ６１１で説明したタッチ有効／無効切替で無効に設定されていた場合は行わない。また、Ｓ６２６におけるタッチＡＦ以外のタッチ操作に応じた操作受付処理は、タッチ有効に設定されたとしてもタッチロック設定がＯＮの場合には行わない。
【００９８】
Ｓ６２７では、システム制御部５０は、Ｉｎｆｏボタン６８の押下により表示部２８に表示する情報表示のパターン切替がされたか否かを判定する。パターン切替がされたと判定した場合は、Ｓ６２８へ進み、そうでない場合は、Ｓ６０６へ進む。パターン切替によっては、図３で説明したパターンの表示の切り替えをすることができる。例えば、パターン１ではアイコン５０３の示すタッチボタンをＯＦＦに、パターン２ではタッチボタンをＯＮに設定した場合に、パターン１からパターン２への切り替えをすると、タッチボタンのＯＦＦとＯＮを切り替えることができる。言い換えれば、パターン１でもパターン２でも基本撮影情報の表示が設定されている場合には、パターン切替により、基本撮影情報を、タッチを受け付けないガイドとして表示させたり、タッチを受け付けるタッチボタンとして表示させたりすることができる。このように、パターン切替によって、タッチボタンとして表示するか（第一の状態）、情報表示をガイドとして表示するか（第二の状態）を切り替えることはできる。しかし、パターン切替によるガイドとタッチボタンの切り替えをしても、タッチ操作に応じた処理を行うか否かを設定するタッチ操作の有効無効の設定は切り替わらない。すなわち、タッチ操作を有効としている場合に、タッチボタンの設定をＯＦＦにすると、タッチボタンの設定がＯＮの場合に表示されるタッチボタンへタッチに対応する機能は実行されないが、ＡＦ位置の設定等のその他のタッチ操作は有効のままである。このようにパターン切り替えによっては、表示項目（ガイド、タッチボタン）を切り替えることができるが、表示不可条件によっては必ずしも次のパターンで表示ＯＮに設定されている表示項目が表示されるわけではない。従って、後述するように表示不可条件によっては、現在のパターンの表示項目と次のパターンの表示項目とが同じ項目になる可能性がある。このような場合に、ユーザは表示が切り替わるまで何度もＩｎｆｏボタン６８を押下しなければならず、表示切替の操作性が低下する可能性がある。また、Ｉｎｆｏボタン６８を押下して表示を切り替えようとしたユーザは、表示項目が切り替わらないとボタン操作が効いていないと誤解したり、表示切り替えができなくなったと誤解して操作を行わなくなってしまう可能性がある。ユーザが、ボタンが効かないものと誤解して操作を行わなかったり、他の操作を試している間に撮影機会を逃してしまう可能性もある。
【００９９】
よって、以下のＳ６２８〜Ｓ６３１の処理では現在のパターンの表示項目と次のパターンの表示項目とを比較し、異なる表示項目であれば次のパターンの表示項目を表示し、そうでなければさらに次のパターンへの切替を検討する。また以下のＳ６２８〜Ｓ６３１で説明する各パターンの設定状態は図８に示されるものであり、パターン４は表示しないパターンとして設定されている。
【０１００】
Ｓ６２８では、システム制御部５０は、次のパターンの設定状態を不揮発性メモリ５６から読み込み、システムメモリ５２のパターンを比較領域に書き込む。図９（ａ）を用いてＳ６２２で現在のパターンが１であるとするとライブビュー拡大表示中は撮影基本情報とタッチボタンが共に表示されることを説明した。このときパターン切り替えがされる場合について説明する。図８に示すパターン２の設定状態では、撮影基本情報、撮影詳細情報、タッチボタンが設定されている。しかし、拡大表示中であるので表示不可条件を考慮すると、図９（ａ）の次のパターンの表示可能項目に示すように、撮影基本情報とタッチボタンとが表示可能項目となる。このように、次のパターンの設定状態をパターン比較領域に書き込む（更新する）。なお、このとき、図９（ａ）に示す現在のパターンがパターン１である場合には、表示部２８には図１０（ａ）に示すような表示項目が表示されているものとする。
【０１０１】
Ｓ６２９では、システム制御部５０は、現在のパターンの表示可能項目と次のパターンの表示可能項目とが異なるか否かを、Ｓ６２８で書き込んだパターン比較領域を見て判定する。現在のパターンと次のパターンの表示可能項目とが異なると判定した場合は、Ｓ６３０へ進み、そうでない場合は、Ｓ６２８へ戻る。図９（ａ）のパターン比較領域を比較すると、現在のパターンと次のパターンの表示可能項目が同じなのでこの場合にはＮｏとなる。すなわち、仮に次のパターン（パターン２）に切り替えたとしても、図１０（ａ）に示す表示のまま表示は変わらない。このとき、図１０（ｅ）のように、設定されていたパターンがスキップされたことを示すガイド１００４を表示してもよい。Ｓ６２９でＮｏとなった場合には、Ｓ６２８へ戻りさらに次のパターンの設定状態を読み込み、表示可能項目をＳ６２９においてパターン比較領域に書き込む。つまり、パターン１とパターン２の表示可能項目とが同じ場合には、新たにパターン１とパターン３の表示可能項目の比較をする。図９（ｂ）は、ライブビュー拡大表示中に、現在のパターン（パターン１）と次のパターン（パターン３）との表示可能項目を書き込んだパターン比較領域を示している。ここで、図９（ｂ）に示す現在のパターンと次のパターンの表示可能項目は異なるので、Ｓ６２９の判定がＹｅｓとなる。つまり、図１０（ｂ）に示す次のパターン（パターン３）の表示項目と、図１０（ａ）に示す現在のパターンの表示項目とは異なるので、パターンの切り替えをすると表示項目も切り替わる。またユーザは表示項目（パターン）が切り替わったことを認識することができる。
【０１０２】
Ｓ６３０では、システム制御部５０は、表示するパターンを切り替え、表示可能項目を次のパターンのものに更新（切り替え）する。続いてＳ６２４に進み、更新された表示可能項目に従って表示処理を行う。
【０１０３】
さらに、図９（ｄ）、（ｅ）に示すように現在のパターンがパターン３であり、動画の録画中である場合について説明する。現在のパターンの表示可能項目は図９（ｄ）に示すように、撮影基本情報とタッチボタンであり、パターン４は表示されないと設定されているので、パターン１が次のパターンとなる。次のパターン（パターン１）の表示可能項目も、録画中の場合には撮影基本情報とタッチボタンとなるのでＳ６２９でＮｏと判定され、さらに次のパターン（パターン２）を読み込む。パターン２の録画中の表示可能項目は図９（ｅ）に示すように撮影基本情報とタッチボタンであるので、この場合もＳ６２９でＮｏと判定される。すなわち、図８のように各パターンが設定され、録画が開始された場合にはパターン１〜３の全ての表示可能項目が同じになり、パターン切替の指示をしても切り替わる表示が無い状態になる。このような場合には、図１０（ｅ）に示す、同じ表示となるため表示モードがスキップされ、切替可能なパターンがないことを示すガイド１００５を表示するようにしてもよい。
【０１０４】
なお、上述した実施形態では、パターン１〜４までの全てのパターンにおいて表示する項目（情報表示の内容）を設定できるとして説明したが、ユーザが表示する項目を設定できるのは全てのパターンでなくてもよい。つまり、例えば切替可能なパターンが４つある場合には、そのうち２つのパターンに予め表示する項目が設定されており、さらに残りの２つにはユーザが表示する項目を設定できるようにしてもよい。予め項目が設定されているパターンの数と、ユーザが設定可能なパターンの数とは上述した例に限らない。
【０１０５】
なお、図１０を用いて説明した表示処理により表示される表示項目の組み合わせは一例であり、撮影基本情報、撮影詳細情報、タッチボタン、ヒストグラム、水準器はどのような組み合わせであっても設定可能である。
【０１０６】
以上、説明した実施形態によれば、表示する項目の切り替えにおいて、現在の表示項目から、現在の表示項目とは異なる表示項目へと操作性良く切り替えることができる。つまり、現在の第一のパターンの表示項目と次の切替候補である第二のパターンの表示項目とが同じ場合には、切替操作があったとしても第二のパターンの表示項目へは切り替えず、現在のパターンの表示項目とは異なる表示項目の第三のパターンへ切り替える。よって、ユーザは現在のパターンの表示項目とは異なる表示項目が表示されるまで何度も切替操作をしなくても、１回の切替操作で表示項目を切り替えることができる。
【０１０７】
なお、本実施形態では表示不可条件に当てはまる項目が表示されなくなった場合に、切替操作をしても現在のパターンと次のパターンの表示とが同じになることを防ぐことを説明したが、ユーザが同じ表示項目を連続するパターンで設定した場合にもスキップする。
【０１０８】
また、次のパターンの表示項目と現在のパターンの表示項目とが同じ場合には、０．５秒や０．３秒といった時間、表示を切り替えずにライブビュー画像に枠を付けて表示した後に、表示項目を切り替えてもよい。もしくは、黒塗りをした後にもう一度同じ表示項目を表示し、さらに異なる表示項目を表示するようにしてもよい。このように、切替操作が行われたが表示パターンをスキップしたことを示す表示をするとユーザは現在のパターンからいくつか飛んだパターンの表示項目が表示されていることを把握することができる。
【０１０９】
シャッタースピード、絞り、ＩＳＯ感度は互いに撮像の露出を変える要素であるので、まとめてガイドとタッチボタンとの切り替えをする。一方で、Ｑボタン、拡大ボタン、タッチシャッターは互いに特定の事象へと影響しあう要素ではないので、例えばＱボタンのみを表示させたり、拡大ボタンとタッチシャッターのみを表示させたりできるようにしてもよい。
【０１１０】
なお、本実施形態では情報表示のパターンを４つとして説明したがこれに限らず、６つや３つでもよい。
【０１１１】
なお、システム制御部５０が行うものとして説明した上述の各種の制御は１つのハードウェアが行ってもよいし、複数のハードウェアが処理を分担することで、装置全体の制御を行ってもよい。
【０１１２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１３】
また、上述した実施形態においては、本発明をデジタルカメラ１００に適用した場合を例にして説明したが、これはこの例に限定されず、表示部に表示する項目の切り替えの制御を行うことのできる電子機器であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。
【０１１４】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006632396.tif 000002
【図２】
0006632396.tif 000003
【図３】
0006632396.tif 000004
【図４】
0006632396.tif 000005
【図５】
0006632396.tif 000006
【図６】
0006632396.tif 000007
【図７】
0006632396.tif 000008
【図８】
0006632396.tif 000009
【図９】
0006632396.tif 000010
【図１０】
0006632396.tif 000011